(57)【要約】【課題】  使用者の操作回数を減少させ、必要なジョブ処理機能に係る機能動作部のみ復帰させることができるようにする。【解決手段】  機能動作部３〜１３は、装置のジョブ処理機能を実現するため動作する。省電力モード制御部１５は、機能動作部３〜１３を省電力モードに移行制御する一方、省電力モードから通常モードに復帰制御する。第１の指示入力部７ｅは、操作に係る機能動作部７を復帰させる第１の起動指示を受け付ける。第２の指示入力部７ａは、第１の起動指示によって復帰させた操作に係る機能動作部７において、ジョブ処理機能を実現させる機能動作部３〜１３を復帰させる第２の起動指示を受け付ける。復帰制御部１７は、第１の起動指示が入力されたとき、操作に係る機能動作部を復帰させ、所定期間内に第２の起動指示が入力されたとき、対応する機能動作を復帰させる。【選択図】  図１
2011029744.tif 000002
【特許請求の範囲】
【請求項１】
画像形成装置が搭載するジョブ処理機能を実現するため動作する複数の機能動作部と、
個々の前記機能動作部に対する電源供給を制限して省電力モードに移行制御するとともに、電源を供給して前記省電力モードから通常モードに復帰制御する省電力モード制御部と、
操作部に係る前記機能動作部を前記省電力モードから復帰させる第１の起動指示を受け付ける第１の指示入力部と、
前記第１の起動指示によって復帰させた操作部に係る前記機能動作部において、前記ジョブ処理機能を実現させる前記機能動作部を前記省電力モードから復帰させる第２の起動指示を受け付ける第２の指示入力部と、
前記第１の起動指示が入力されたとき、これに対応付けられた操作部に係る前記機能動作部を前記省電力モードから復帰するよう前記省電力モード制御部を制御し、前記第１の起動指示の入力後、所定期間内に前記第２の起動指示が入力されたとき、これに対応付けられた前記機能動作を復帰するよう前記省電力モード制御部を制御する復帰制御部と、
を具備することを特徴とする省電力モード復帰制御装置。
【請求項２】
前記ジョブ処理機能は、スキャナ処理機能、複写処理機能、プリント処理機能、ファクシミリ通信処理機能、データ記憶処理機能、電子メール通信処理機能又はこれらの組合せであり、前記機能動作部はそれらのジョブ処理機能を実現するものである請求項１記載の省電力モード復帰制御装置。
【請求項３】
前記第２の指示入力部は、前記スキャナ処理機能、前記複写処理機能、前記プリント処理機能、前記ファクシミリ通信処理機能、前記データ記憶処理機能、前記電子メール通信処理機能又はこれらの組合せの復帰を指示するものである請求項２記載の省電力モード復帰制御装置。
【請求項４】
前記復帰制御部は、前記所定期間内に、前記スキャナ処理機能、前記複写処理機能、前記プリント処理機能、前記ファクシミリ通信処理機能又は前記電子メール通信処理機能に係る前記第２の起動指示が入力されず、前記データ記憶処理機能に係る前記第２の起動指示が入力されたとき、少なくとも前記スキャナ処理機能および前記複写処理機能を復帰するよう前記省電力モード制御部を制御する請求項３記載の省電力モード復帰制御装置。
【請求項５】
前記復帰制御部は、前記所定期間経過後に、前記スキャナ処理機能、前記複写処理機能、前記プリント処理機能、前記ファクシミリ通信処理機能又は前記電子メール通信処理機能に係る前記機能動作部が復帰していないとき、少なくとも前記スキャナ処理機能および前記複写処理機能を復帰するよう前記省電力モード制御部を制御する請求項３又は４記載の省電力モード復帰制御装置。
【請求項６】
前記請求項１〜５いずれか１記載の省電力モード復帰制御装置を有する画像形成装置。
【請求項７】
画像形成装置が搭載するジョブ処理機能を実現するため動作する複数の機能動作部であって、電源供給を制限して省電力モードに移行制御された個々の前記機能動作部のうち、操作に係る前記機能動作部を前記省電力モードから復帰させる第１の起動指示を受け付ける第１の指示入力処理と、
前記第１の起動指示に基づき、これに対応付けられた操作に係る前記機能動作部を前記省電力モードから復帰制御する第１の復帰制御処理と、
前記第１の起動指示によって復帰させた操作部に係る前記機能動作部において、前記ジョブ処理機能を実現させる前記機能動作部を前記省電力モードから復帰させる第２の起動指示を受け付ける第２の指示入力処理と、
前記第１の起動指示の入力後、所定期間内に前記第２の起動指示が入力されたとき、これに対応付けられた前記機能動作を前記省電力モードから復帰制御する第２の復帰制御処理と、
を具備することを特徴とする省電力モード復帰制御方法。
【請求項８】
前記ジョブ処理機能は、スキャナ処理機能、複写処理機能、プリント処理機能、ファクシミリ通信処理機能、データ記憶処理機能、電子メール通信処理機能又はこれらの組合せであり、前記機能動作部はそれらのジョブ処理機能を実現するものである請求項７記載の省電力モード復帰制御方法。
【請求項９】
前記第２の指示入力処理は、前記スキャナ処理機能、前記複写処理機能、前記プリント処理機能、前記ファクシミリ通信処理機能、前記データ記憶処理機能、前記電子メール通信処理機能又はこれらの組合せを復帰させる前記第２の起動指示を受け付ける請求項８記載の省電力モード復帰制御方法。
【請求項１０】
前記復帰制御処理は、前記所定期間内に、前記スキャナ処理機能、前記複写処理機能、前記プリント処理機能、前記ファクシミリ通信処理機能又は前記電子メール通信処理機能に係る前記第２の起動指示が入力されず、前記データ記憶処理機能に係る前記第２の起動指示が入力されたとき、少なくとも前記スキャナ処理機能および前記複写処理機能を復帰するよう前記省電力モード制御部を制御する請求項９記載の省電力モード復帰制御方法。
【請求項１１】
前記復帰制御処理は、前記所定期間経過後に、前記スキャナ処理機能、前記複写処理機能、前記プリント処理機能、前記ファクシミリ通信処理機能又は前記電子メール通信処理機能に係る前記機能動作部が復帰していないとき、少なくとも前記スキャナ処理機能および前記複写処理機能を復帰するよう前記省電力モード制御部を制御する請求項９又は１０記載の省電力モード復帰制御方法。
【発明の詳細な説明】
【技術分野】
【０００１】
本発明は省電力モード復帰制御装置、画像形成装置および省電力モード復帰制御方法に係り、省電力モードに移行させた機器を省電力モードから復帰させる省電力モード復帰制御装置、およびこれを搭載した複写機、ファクシミリ機、複合機（ＭＦＰ：Multi Function Peripheral）等の画像形成装置および省電力モード復帰制御方法の改良に関する。
【背景技術】
【０００２】
従来、この種の画像形成装置、例えば複合機では、原稿から画像データを読み取り、この読み取った画像データを用紙に印刷（印字）したり、外部へファクシミリ送信したり、記憶部に格納する一方、ネットワークを介して外部のコンピュータから送信された画像データをプリントする等の複数の動作機能が搭載されている。
【０００３】
しかも、複合機においては、起動に最低限必要な部分以外への電源供給を遮断して電力エネルギーを節約する省電力モードへ移行する機能が搭載しているうえ、省電力モードから通常モードへの復帰動作を簡素化する工夫がなされている。
【０００４】
例えば、特開２００４−２２２２３４号公報（特許文献１）の画像形成装置もこの種の提案である。
【０００５】
この特許文献１は、電源ボタンの押下に加えて、機能毎に設けたコピーボタン、ドキュメントボックスボタン、ファックスボタン、プリンターボタン又はスキャナーボタンを選択押下することにより、使用者が希望する機能部分だけスリープ状態から電源復帰を行えるようにして消費電力を抑えたものである。
【先行技術文献】
【特許文献】
【０００６】
【特許文献１】特開２００４−２２２２２３４号公報
【発明の概要】
【発明が解決しようとする課題】
【０００７】
しかしながら、上述した画像形成装置においては、必要な部分にだけ電源を供給してスリープ状態から復帰させるとき、電源ボタンおよび機能ボタンを連続して２回押下する必要があり、たとえパネル操作が２回であっても、種々の操作表示項目や操作ボタンのある中から、求められるボタンを２回操作することになり、操作が煩雑で、改善の余地がある。
【０００８】
そこで、本発明者は、画像形成装置の諸動作を鋭意観察検討した結果、画像形成装置において種々の動作機能を実行する場合、全ての動作機能を通常モードに復帰させる必要がないうえ、例えば操作部を起動させてから順次ジョブ処理機能を起動させ、いずれの起動指示もないとき、予め設定された動作機能を起動させれば良い点に着目し、本発明を完成させた。
【０００９】
本発明はそのような課題を解決するためになされたもので、使用者が必要とする機能動作部を省電力モードから復帰させるとき、使用者の操作を減少させて操作性を向上させることが容易な省電力モード復帰制御装置、画像形成装置および省電力モード復帰制御方法の提供を目的とする。
【課題を解決するための手段】
【００１０】
そのような課題を解決するために本発明の請求項１に係る省電力モード復帰制御装置は、画像形成装置が搭載するジョブ処理機能を実現するため動作する複数の機能動作部と、個々の機能動作部に対する電源供給を制限して省電力モードに移行制御するとともに、電源を供給して前記省電力モードから通常モードに復帰制御する省電力モード制御部と、操作部に係る機能動作部を省電力モードから復帰させる第１の起動指示を受け付ける第１の指示入力部と、その第１の起動指示によって復帰させた操作部に係る機能動作部において、それらジョブ処理機能を実現させる機能動作部を省電力モードから復帰させる第２の起動指示を受け付ける第２の指示入力部と、その第１の起動指示が入力されたとき、これに対応付けられた操作部に係る機能動作部を省電力モードから復帰するよう省電力モード制御部を制御し、その第１の起動指示の入力後、所定期間内にその第２の起動指示が入力されたとき、これに対応付けられた機能動作を復帰するよう省電力モード制御部を制御する復帰制御部とを具備している。
【００１１】
本発明の請求項２に係る省電力モード復帰制御装置は、上記ジョブ処理機能が、スキャナ処理機能、複写処理機能、プリント処理機能、ファクシミリ通信処理機能、データ記憶処理機能、電子メール通信処理機能又はこれらの組合せであり、その機能動作部はそれらのジョブ処理機能を実現するものである構成を有している。
【００１２】
本発明の請求項３に係る省電力モード復帰制御装置は、上記第２の指示入力部が、それらスキャナ処理機能、複写処理機能、プリント処理機能、ファクシミリ通信処理機能、データ記憶処理機能、電子メール通信処理機能又はこれらの組合せの復帰を指示する構成を有している。
【００１３】
本発明の請求項４に係る省電力モード復帰制御装置は、上記復帰制御部が、その所定期間内に、それらスキャナ処理機能、複写処理機能、プリント処理機能、ファクシミリ通信処理機能又は電子メール通信処理機能に係る第２の起動指示が入力されず、上記データ記憶処理機能に係る第２の起動指示が入力されたとき、少なくともスキャナ処理機能および複写処理機能を復帰するよう省電力モード制御部を制御する構成を有している。
【００１４】
本発明の請求項５に係る省電力モード復帰制御装置は、上記復帰制御部は、その所定期間経過後に、それらスキャナ処理機能、複写処理機能、プリント処理機能、ファクシミリ通信処理機能又は電子メール通信処理機能に係る機能動作部が復帰していないとき、少なくともスキャナ処理機能および複写処理機能を復帰するよう省電力モード制御部を制御する構成を有している。
【００１５】
本発明の請求項６に係る画像形成装置は、上記請求項１〜５いずれか１記載の省電力モード復帰制御装置を有して構成されている。
【００１６】
本発明の請求項７に係る省電力モード復帰制御方法は、画像形成装置が搭載するジョブ処理機能を実現するため動作する複数の機能動作部であって、電源供給を制限して省電力モードに移行制御された個々の機能動作部のうち、操作に係る機能動作部を省電力モードから復帰させる第１の起動指示を受け付ける第１の指示入力処理と、その第１の起動指示に基づき、これに対応付けられた操作に係る機能動作部を省電力モードから復帰制御する第１の復帰制御処理と、その第１の起動指示によって復帰させた操作部に係る機能動作部において、そのジョブ処理機能を実現させる機能動作部を省電力モードから復帰させる第２の起動指示を受け付ける第２の指示入力処理と、その第１の起動指示の入力後、所定期間内にその第２の起動指示が入力されたとき、これに対応付けられた機能動作を省電力モードから復帰制御する第２の復帰制御処理とを具備している。
【００１７】
本発明の請求項８に係る省電力モード復帰制御方法は、上記ジョブ処理機能が、それらスキャナ処理機能、複写処理機能、プリント処理機能、ファクシミリ通信処理機能、データ記憶処理機能、電子メール通信処理機能又はこれらの組合せであり、その機能動作部がそれらのジョブ処理機能を実現する構成を有している。
【００１８】
本発明の請求項９に係る省電力モード復帰制御方法は、上記第２の指示入力処理が、それらスキャナ処理機能、複写処理機能、プリント処理機能、ファクシミリ通信処理機能、データ記憶処理機能、電子メール通信処理機能又はこれらの組合せを復帰させる第２の起動指示を受け付ける構成を有している。
【００１９】
本発明の請求項１０に係る省電力モード復帰制御方法は、上復帰制御処理が、その所定期間内に、それらスキャナ処理機能、複写処理機能、プリント処理機能、ファクシミリ通信処理機能又は電子メール通信処理機能に係る第２の起動指示が入力されず、そのデータ記憶処理機能に係る第２の起動指示が入力されたとき、少なくともスキャナ処理機能および複写処理機能を復帰するよう省電力モード制御部を制御する構成を有している。
【００２０】
本発明の請求項１１に係る省電力モード復帰制御方法は、上記復帰制御処理が、その所定期間経過後に、それらスキャナ処理機能、複写処理機能、プリント処理機能、ファクシミリ通信処理機能又は電子メール通信処理機能に係る機能動作部が復帰していないとき、少なくともスキャナ処理機能および複写処理機能を復帰するよう省電力モード制御部を制御する構成を有している。
【発明の効果】
【００２１】
このような本発明の請求項１、７に係る省電力モード復帰制御装置および省電力モード復帰制御方法では、省電力モードに移行した個々の機能動作部に対し、第１の起動指示に基づきこれに対応付けられた操作部に係る機能動作部を省電力モードから復帰させ、復帰動作させた操作部に係る機能動作部において、ジョブ処理機能を実現させる機能動作部を省電力モードから復帰させる第２の起動指示が所定期間内に入力されると、これに対応付けられた機能動作を省電力モードから復帰させるから、種々の機能動作部を省電力モードから復帰させるとき、使用者の操作を減少させて操作性を向上させることが容易であるうえ、使用者に必要なジョブ処理機能に係る機能動作部のみを復帰させることが可能である。
【００２２】
本発明の請求項２、８に係る省電力モード復帰制御装置および省電力モード復帰制御方法では、それらスキャナ処理機能、複写処理機能、プリント処理機能、ファクシミリ通信処理機能、データ記憶処理機能、電子メール通信処理機能又はこれらの組合せを上記ジョブ処理機能とし、その機能動作部がそれらのジョブ処理機能を実現するから、ジョブ処理機能として、スキャナ処理機能、複写処理機能、プリント処理機能、ファクシミリ通信処理機能、データ記憶処理機能、電子メール通信処理機能又はこれらの組合せの何れにも対応可能である。
【００２３】
本発明の請求項３、９に係る省電力モード復帰制御装置および省電力モード復帰制御方法では、上記第２の指示入力処理として、それらスキャナ処理機能、複写処理機能、プリント処理機能、ファクシミリ通信処理機能、データ記憶処理機能、電子メール通信処理機能又はこれらの組合せを復帰させる第２の起動指示を受け付けるから、それらスキャナ処理機能、複写処理機能、プリント処理機能、ファクシミリ通信処理機能、データ記憶処理機能、電子メール通信処理機能又はこれらの組合せの何れにおいても、第２の指示入力に基づく何れかの復帰処理が可能である。
【００２４】
本発明の請求項４、１０に係る省電力モード復帰制御装置および省電力モード復帰制御方法では、所定期間内に、それらスキャナ処理機能、複写処理機能、プリント処理機能、ファクシミリ通信処理機能又は電子メール通信処理機能に係る第２の起動指示が入力されず、そのデータ記憶処理機能に係る第２の起動指示が入力されたとき、少なくともスキャナ処理機能および複写処理機能を復帰させるから、所定期間内に、データ記憶処理機能が起動指示されると、最低限の処理機能が復帰して使用し易い。
【００２５】
本発明の請求項５、１１に係る省電力モード復帰制御装置および省電力モード復帰制御方法では、所定期間経過後に、それらスキャナ処理機能、複写処理機能、プリント処理機能、ファクシミリ通信処理機能又は電子メール通信処理機能に係る機能動作部が復帰していないとき、少なくともスキャナ処理機能および複写処理機能を復帰させるから、所定期間経過後に、何れのジョブ処理機能も復帰されないとき、最低限の操作機能が復帰するから使用し易い。
【図面の簡単な説明】
【００２６】
【図１】本発明に係る省電力モード復帰制御装置を画像形成装置とともに実施の形態を示す概略ブロック図である。
【図２】本発明に係る画像形成装置の内部構成を説明する概略構成図である。
【図３】本発明に係る省電力モード復帰制御装置における起動情報テーブルを説明する図である。
【図４】本発明に係る画像形成装置の操作パネル部を説明する図である。
【図５】本発明に係る省電力モード復帰制御装置の動作を画像形成装置の動作とともに説明するフローチャートである。
【発明を実施するための形態】
【００２７】
以下、本発明に係る省電力モード復帰制御装置、画像形成装置および省電力モード復帰制御方法の実施の形態を図面を参照して説明する。なお、本発明に係る省電力モード復帰制御装置および省電力モード復帰制御方法は本発明に係る画像形成装置を説明する過程で説明する。
【００２８】
図１は本発明に係る画像形成装置としての複合機の構成を示す概略ブロック図であり、本発明に係る省電力モード復帰制御装置を搭載し本発明の省電力モード復帰制御方法を実施するものである。
【００２９】
図１において、複合機Ａは、主制御部１を中心としてこれに接続された画像読取部３、記憶部５、操作パネル部７、印刷部９、ファクシミリ送受信部１１、データ送受信部１３、省電力モード制御部１５および復帰制御部１７を有して構成された画像形成装置である。
【００３０】
それら画像読取部３、記憶部５、操作パネル部７、印刷部９、ファクシミリ送受信部１１およびデータ送受信部１３は、ジョブ処理機能としてのスキャナ処理機能、複写処理機能、プリント処理機能、ファクシミリ通信処理機能、データ記憶処理機能、電子メール通信処理機能およびこれらの組合せを実現する個々の機能動作部を形成している。
【００３１】
複合機Ａは、これら以外にも構成要素を有するが、本発明の要部ではないので説明および図示を省略する。なお、主制御部１の機能については後述する。
【００３２】
画像読取部３は、主制御部１の制御の下、原稿から画像を光学的に読み取り、フィルタ処理等した電子情報としての画像データを生成する公知のスキャナであるとともに本発明における入力部であり、生成した画像データを主制御部１を介して原稿の頁毎に記憶部５に順次記憶する機能動作部である。
【００３３】
画像読取部３は、図２に示すように、複合機Ａの本体ケース１９の上部に配置されており、原稿から画像データを光学的に読み取るスキャナ部３ａと、これに搭載され原稿を自動的にスキャナ部３ａに給紙する自動給紙部３ｂを有している。
【００３４】
記憶部５は、主制御部１の制御の下、主制御部１の動作アプリケーションプログラム、複合機Ａを操作するための操作画面情報、画像読取部３やデータ送受信部１３からの画像データ、起動復帰テーブル等を記憶する読み書き可能な例えばハードディスク（ＨＤＤ）であり、何れのジョブ処理機能の実現にも利用可能になっている。
【００３５】
起動復帰テーブルは、図３に示すように、ジョブ処理機能としてのスキャナ処理機能、複写処理機能、プリント処理機能、ファクシミリ通信処理機能、データ記憶処理機能、電子メール通信処理機能を起動指示するとき、いずれの機能動作部、すなわち画像読取部３、記憶部５、操作パネル部７、印刷部９、ファクシミリ送受信部１１およびデータ送受信部１３の何れを起動するかを対応させたテーブルであり、予め、装置の供給業者又は管理者が設定したものである。
【００３６】
記憶部５は、所定の区分、例えばユーザ毎の記憶領域（出力部）としてのＢＯＸ５ａが複数確保されたり、後述するように電子データが主制御部１を介してそれらＢＯＸ５ａに読み書き可能になっている。
【００３７】
操作パネル部７は、図２のように複合機Ａの本体ケース１９の上部に配置され、例えば液晶ディスプレイからなる表示部と、この表示部に重ねるようには配置されたボタンキーからなる入力部であり、主制御部１の制御の下、複合機Ａにおける動作状態や諸データを表示するとともに、後述するようにジョブ処理機能の起動指示を入力し、主制御部１に出力する機能を有している。
【００３８】
操作パネル部７は、例えば図４に示すように、印刷（コピー）処理機能、プリント処理機能、スキャナ処理機能、ファックス処理機能等の種々の処理機能操作指示や選択をする第２の指示入力部としての選択キー７ａ、それらの操作に係る設定や変更等を入力する入力部としてのテンキー７ｂ、スタートキー７ｃ、表示パネル部７ｄ等を有している。
【００３９】
図３中の節電キー７ｅは、操作パネル部７全体を復帰させる第１の指示入力部として機能するものである。
【００４０】
印刷部９は、主制御部１の制御の下、図２に示すように、複数の給紙段９ａ、９ｂから選択的に印刷用紙を１次給紙し、搬送される印刷用紙を２次給紙する一方、主制御部１を介して指示された画像データを画像形成部９ｃで画像イメージデータに展開するとともにトナー画像を形成し、２次給紙された印刷用紙にそのトナー画像を転写させ、定着部９ｄで定着させて排紙部９ｅに排紙するモノクロ又はフルカラー印刷エンジンである。
【００４１】
図１のファクシミリ送受信部１１は、主制御部１の制御の下、公衆回線を介して外部ファクシミリ機器（何れも図示せず。）に接続され、所定のファクシミリ伝送プロトコルに従って、ファクシミリ信号を送受信するインターフェース部である。
【００４２】
すなわち、ファクシミリ送受信部１１は、外部ファクシミリ機器からファクシミリ信号を受信したとき、ファクシミリ信号を復号化して主制御部１に出力するとともに、主制御部１から外部ファクシミリ機器への送信ファクシミリ信号を出力するとき、ファクシミリ信号を圧縮等して送信する機能を有する。
【００４３】
データ送受信部１３は、主制御部１の制御の下、ネットワーク２１を介して外部の画像形成装置例えば複合機Ｂに接続されており、所定のデータ伝送プロトコルに従って、画像データ、電子メールその他を送受信するインターフェース部である。
【００４４】
省電力モード制御部１５は、主制御部１の制御の下、画像読取部３、記憶部５、操作パネル部７、印刷部９、ファクシミリ送受信部１１およびデータ送受信部１３に対して図示しない電源部からの電源供給を制限して省電力モードに移行制御するとともに、電源を供給して前記省電力モードから復帰制御する機能を有している。なお、操作パネル部７においては、節電キー７ｅのみは操作受付け動作するよう制御されている。
【００４５】
復帰制御部１７は、省電力モード制御部１５が省電力モードに移行制御した状態において、上述した第１の起動指示が入力されたとき、これに予め対応付けられた操作パネル部７を省電力モードから復帰制御するよう省電力モード制御部１５を制御し、第１の起動指示の入力後、所定期間（例えば１〜３分）内に第２の起動指示が入力されたとき、図４の起動情報テーブルを参照し、それに予め対応付けられた機能動作を動作させる機能動作部を復帰制御するよう省電力モード制御部１５を制御する機能を有している。
【００４６】
すなわち、復帰制御部１７は、図３の節電キー７ｅが操作されると、操作パネル部７全体が省電力モードから通常モードに復帰するよう省電力モード制御部１５を制御し、通常モードに復帰した操作パネル部７で選択キー７ａを操作して例えば複写機能の起動指示が入力されると、画像読取部３および印刷部９が省電力モードから通常モードに復帰するよう省電力モード制御部１５を制御する機能を有している。
【００４７】
復帰制御部１７は、所定期間内に、印刷（コピー）処理機能、プリンタ処理機能、スキャナ処理機能、ファックス処理機能等の種々の処理機能操作指示や選択をする第２の指示入力部としての選択キー７ａの何れかが入力されず、データ記憶処理機能に係る第２の指示入力部としての選択キー７ａが操作入力されたとき、少なくとも画像読取部３および印刷部９を復帰するよう省電力モード制御部１５を制御する機能を有している。
【００４８】
さらに、復帰制御部１７は、所定期間経過しても、印刷（コピー）処理機能、プリンタ処理機能、スキャナ処理機能、ファックス処理機能又は電子メール通信処理機能に係る機能動作部３〜１３が復帰されていないとき、画像読取部３および印刷部９を復帰するよう省電力モード制御部１５を制御する機能を有している。
【００４９】
主制御部１は、ＣＰＵ、このＣＰＵの起動プログラムを記憶したＲＯＭその他を有し、記憶部５に記憶されたアプリケーションプログラムによって画像読取部３、記憶部５、操作パネル部７、印刷部９、ファクシミリ送受信部１１、データ送受信部１３、省電力モード制御部１５および復帰制御部１７を制御してそれらの機能の一部を担っている。
【００５０】
次に、上述した本発明の省電力モード復帰制御装置の動作を画像形成装置の動作とともに図５を参照して簡単に説明する。なお、便宜上、図５において操作パネル部は操作部と、画像読取部は読取部と、ファクシミリをＦＡＸと略す。
【００５１】
動作プログラムがスタートすると、図５のステップＳ１にて節電キー７ｅが操作されたか否か復帰制御部１７が判別し、節電キー７ｅが操作されてステップＳ１がＹＥＳになるまで待機し、ステップＳ１がＹＥＳになると（第１の指示入力処理）、ステップＳ２にて復帰制御部１７が操作パネル部７全体を省電力モードから通常モードに復帰するよう省電力モード制御部１５を制御する（第１の復帰制御処理）。
【００５２】
続く、ステップＳ３にて節電キー７ｅが操作されてから所定期間経過したか否か判別される。通常は、節電キー７ｅが操作されても所定期間経過しないのでステップＳ４に移る。
【００５３】
操作パネル部７全体が起動した状態で、ステップＳ４では復帰制御部１７がスキャナ処理機能が起動指示されたか否か判別し、操作パネル部７からスキャナ処理機能が起動指示されずにステップＳ７がＮＯであれば、ステップＳ５にて復帰制御部１７が複写処理機能の起動指示がなされたか否か判別し、複写処理機能の起動指示がなされずにステップＳ５がＮＯであれば、ステップＳ６にて復帰制御部１７がプリント処理機能の起動指示がなされたか否か判別する。
【００５４】
プリント処理機能の起動指示がなされずにステップＳ６がＮＯであれば、ステップＳ７にて復帰制御部１７がファクシミリ処理機能の起動指示がなされたか否か判別し、ファクシミリ処理機能の起動指示がなされずにステップＳ７がＮＯであれば、ステップＳ８にて操作パネル部７からドキュメントのＢＯＸ処理機能の起動指示がなされたか否か判別され、その起動指示がなされずにステップＳ８がＮＯであればステップＳ３に戻る。
【００５５】
ドキュメントのＢＯＸ処理機能の起動指示があってステップＳ８がＹＥＳであれば（第２の指示入力処理）、ステップＳ９にて復帰制御部１７が画像読取部３および印刷部９を省電力モード状態から通常モードに復帰するよう省電力モード制御部１５を制御し（第２の復帰制御処理）、終了する。
【００５６】
ドキュメントのＢＯＸ処理機能が起動されると、一般的に画像読取部３および印刷部９を使用する頻度が多いので、それら画像読取部３および印刷部９を起動させる。
【００５７】
上述したステップＳ４において、操作パネル部７からスキャナ処理機能が起動指示されてステップＳ４がＹＥＳであれば（第２の指示入力処理）、ステップＳ１０にて復帰制御部１７が画像読取部３を省電力モード状態から通常モードに復帰するよう省電力モード制御部１５を制御し（第２の復帰制御処理）、終了する。
【００５８】
ステップＳ５において、操作パネル部７から複写処理機能が起動指示されてステップＳ５がＹＥＳであれば（第２の指示入力処理）、ステップＳ１１にて復帰制御部１７が画像読取部３および印刷部９を省電力モード状態から通常モードに復帰するよう省電力モード制御部１５を制御し（第２の復帰制御処理）、終了する。
【００５９】
ステップＳ６において、操作パネル部７からプリント処理機能が起動指示されてステップＳ６がＹＥＳであれば（第２の指示入力処理）、ステップＳ１２にて復帰制御部１７が印刷部９を省電力モード状態から通常モードに復帰するよう省電力モード制御部１５を制御し（第２の復帰制御処理）、終了する。
【００６０】
ステップＳ７において、ファクシミリ処理機能の起動指示がなされてステップＳ７がＹＥＳであれば（第２の指示入力処理）、ステップＳ１３にて復帰制御部１７が画像形成部３およびファクシミリ送受信部１１を省電力モード状態から通常モードに復帰するよう省電力モード制御部１５を制御し（第２の復帰制御処理）、終了する。
【００６１】
さらに、上述したステップＳ３において、節電キー７ｅが操作されて所定期間経過したと判別したときはステップＳ１４に移り、復帰制御部１７がスキャナ機能の復帰の有無を判別する。
【００６２】
操作パネル部７からスキャナ処理機能が起動指示されていてステップＳ１４がＹＥＳであれば（第２の指示入力処理）、ステップＳ１０を経て終了する。
【００６３】
スキャナ処理機能が起動指示されておらずにステップＳ１４がＮＯであれば、ステップＳ１５に移って復帰制御部１７が印刷機能の復帰の有無を判別する。
【００６４】
印刷部９が通常モードに復帰していてステップＳ１５がＹＥＳあれば、ステップＳ１２を経て終了する。
【００６５】
印刷部９が通常モードに復帰しておらずにステップＳ１５がＮＯであれば、ステップＳ１６にて復帰制御部１７がプリント機能について省電力モード状態から通常モードに復帰したか判別し、プリント処理機能が復帰していてステップＳ１６がＹＥＳであれば、ステップＳ１２を経て終了する。
【００６６】
プリント処理機能が復帰しておらずにステップＳ１６がＮＯであれば、ステップＳ１７にて復帰制御部１７がファクシミリ処理機能の復帰の有無を判別し、復帰していてステップＳ１７がＹＥＳであれば、ステップＳ１３を経て終了する。
【００６７】
ファクシミリ処理機能が復帰しておらずにステップＳ１７がＮＯであればステップＳ９を経て終了する。
【００６８】
そして、これらの処理過程が本発明に係る省電力モード復帰制御方法に相当する。
【００６９】
このように本発明の省電力モード復帰制御装置は、複合機Ａが搭載するジョブ処理機能を実現するため動作する画像読取部３、記憶部５、操作パネル部７、印刷部９、ファクシミリ送受信部１１およびデータ送受信部１３（機能動作部）と、これらの機能動作部３〜１３に対する電源供給を制限して省電力モードに移行制御するとともに、電源を供給して前記省電力モードから通常モードに復帰制御する省電力モード制御部１５と、操作部に係る機能動作部５を省電力モードから復帰させる第１の起動指示を受け付ける節電キー７ｅ（第１の指示入力部）と、その第１の起動指示によって復帰させた操作部に係る機能動作部５において、それらジョブ処理機能を実現させる機能動作部３〜１３を省電力モードから復帰させる第２の起動指示を受け付ける操作パネル部７（第２の指示入力部）と、その第１の起動指示が入力されたとき、これに対応付けられた操作部に係る機能動作部５を省電力モードから復帰するよう省電力モード制御部１５を制御し、ｓの第１の起動指示の入力後、所定期間内にその第２の起動指示が入力されたとき、これに対応付けられた機能動作を復帰するよう省電力モード制御部１５を制御する復帰制御部１７とを具備している。
【００７０】
そのため、まず操作に係る操作パネル部７を予備的に起動させ、その後、操作パネル部７において個々のジョブ処理機能に応じた第２の起動指示を個別に１回だけ操作入力させるのみで、該当する機能動作部３〜１３のみを起動させるから、種々の機能動作部を省電力モードから復帰させるとき、使用者の操作を減少させ、必要なジョブ処理機能に係る機能動作部のみ復帰させることが可能で、操作性を向上させることが容易である。
【００７１】
しかも、ジョブ処理機能として、スキャナ処理機能、複写処理機能、プリント処理機能、ファクシミリ通信処理機能、データ記憶処理機能、電子メール通信処理機能又はこれらの組合せの何れにも対応可能で、任意の機能動作部の復帰が可能である。
【００７２】
また、所定期間内に、それらスキャナ処理機能、複写処理機能、プリント処理機能、ファクシミリ通信処理機能又は電子メール通信処理機能に係る第２の起動指示が入力されず、そのデータ記憶処理機能に係る第２の起動指示が入力されたとき、スキャナ処理機能および複写処理機能を復帰させるから、所定期間内に、何れのジョブ処理機能も復帰されないとき、最低限の操作機能を復帰可能で、使用し易い。
【００７３】
もっとも、復帰させる処理機能は、スキャナ処理機能および複写処理機能に限らず、それ以外であっても良く、少なくともスキャナ処理機能および複写処理機能を復帰させれば本発明の目的達成が可能である。
【００７４】
さらに、所定期間経過後に、それらスキャナ処理機能、複写処理機能、プリント処理機能、ファクシミリ通信処理機能又は電子メール通信処理機能に係る機能動作部が復帰していないとき、スキャナ処理機能および複写処理機能を復帰させるから、所定期間経過後しても、何れのジョブ処理機能も復帰されないとき、最低限の操作機能が復帰するから使用し易い。この場合にも、同様に、少なくともスキャナ処理機能および複写処理機能を復帰させれば本発明の目的達成が可能である。
【００７５】
上述した省電力モード復帰制御装置においては、第１の指示入力部として節電キー７ｅ（電源投入検出部）とする構成であったが、本発明では操作に係る機能動作部を起動させるものであれば良い。
【００７６】
また、本発明の省電力モード復帰制御装置においては、第２の指示入力部として操作パネル部７を用い、それらスキャナ処理機能、複写処理機能、プリント処理機能、ファクシミリ通信処理機能、データ記憶処理機能、電子メール通信処理機能又はこれらの組合せを入力する構成であったが、本発明ではこれに限定されず、画像読取部３、記憶部５、操作パネル部７、印刷部９、ファクシミリ送受信部１１又はデータ送受信部１３の何れかから入力する構成も可能である。
【００７７】
本発明に係る画像形成装置は、上述した省電力モード復帰制御装置と、原稿を自動給紙して表面の画像を光学的に読み取って電子画像データを取得する原稿読取部３と、読み取った画像データを印刷する印刷部９とを有して構成されており、同様に上述した効果を有する。
【００７８】
さらに、本発明の省電力モード復帰制御方法においても、上述した省電力モード復帰制御装置と同様の効果を得ることが可能である。
【符号の説明】
【００７９】
１  主制御部
３  画像読取部（機能動作部）
３ａ  スキャナ部
３ｂ  自動給紙部
５  記憶部（機能動作部）
５ａ  ＢＯＸ
７  操作パネル部（機能動作部）
７ａ  選択キー（第２の指示入力部）
７ｂ  テンキー
７ｃ  スタートキー
７ｄ  表示パネル部（表示部）
７ｅ  節電キー（第１の指示入力部）
９  印刷部（機能動作部）
９ａ、９ｂ  給紙段
９ｃ  画像形成部
９ｄ  定着部
９ｅ  排紙部
１１  ファクシミリ送受信部（ＦＡＸ送受信部、機能動作部）
１３  データ送受信部（機能動作部）
１５  省電力モード制御部
１７  復帰制御部
１９  本体ケース
２１  ネットワーク
Ａ、Ｂ  画像形成装置（複合機）
【図１】
2011029744.tif 000003
【図２】
2011029744.tif 000004
【図３】
2011029744.tif 000005
【図４】
2011029744.tif 000006
【図５】
2011029744.tif 000007